(57)【特許請求の範囲】
【請求項１】
竿体の長手方向に遊動可能に前記竿体に設けられる遊動式の釣糸ガイドであって、
前記竿体を挿通可能な竿孔と、釣糸を案内するガイドリングを取り付けるためのガイド孔と、前記竿孔の上方かつ前記ガイド孔の下方に形成された貫通孔と、を有し、一体に成形されたガイド本体を備え、
前記ガイド本体は、前記竿孔と前記貫通孔との間に突出する一対の支持アームを有しており、
前記一対の支持アームの一方の先端は他方の先端と離間しており、
前記一対の支持アームの前記一方の先端と前記他方の先端との間の間隔は、前記貫通孔の下辺の長さの５％〜５０％の範囲にあることを特徴とする釣糸ガイド。
【請求項２】
前記一対の支持アームの各々の下面は前記竿孔の一部を画定することを特徴とする請求項１に記載の釣糸ガイド。
【請求項３】
前記一対の支持アームの各々の下面は、部分円弧形状に形成されており、前記竿孔の円形の内周面の一部を成すことを特徴とする請求項１又は請求項２に記載の釣糸ガイド。  
【請求項４】
前記竿体が前記一対の支持アームの各々の下面により支持されることを特徴とする請求項３に記載の釣糸ガイド。
【請求項５】
前記ガイド本体は、筒状の取付部を備え、
前記竿孔は、前記取付部に形成されており、
前記一対の支持アームは、その各々の先端の上下方向の厚さが前記取付部の下部の厚さよりも薄くなるように構成されることを特徴とする請求項１ないし請求項４のいずれか１項に記載の釣糸ガイド。
【請求項６】
前記ガイド本体は、前記取付部の上部に設けられたフレームを備え、
前記フレームは、前記ガイド孔が形成されたリング保持部と、当該リング保持部を支持する脚部と、を有し、
前記一対の支持アームは、その各々の先端の上下方向の厚さが前記フレームの脚部の厚さよりも薄くなるように構成されることを特徴とする請求項１ないし請求項５のいずれか１項に記載の釣糸ガイド。
【請求項７】
前記ガイド本体及び前記一対の支持アームは繊維強化樹脂から形成されることを特徴とする請求項１から請求項６のいずれか１項に記載の釣糸ガイド。
【請求項８】
請求項１から請求項７のいずれか１項に記載の釣糸ガイドを備える釣竿。
【発明の詳細な説明】
【技術分野】
【０００１】
本発明は、竿体の長手方向に遊動可能な遊動式の釣糸ガイドに関する。また、本発明は、かかる釣糸ガイドを備える釣竿に関する。
【背景技術】
【０００２】
釣竿は、細長い竿体と、当該竿体に取り付けられてリールから当該竿体の先端まで釣糸を案内する釣糸ガイドと、を備える。釣糸ガイドには、竿体の外表面に接着等により固定される固定式のものと、竿体に遊動自在に嵌め込まれる遊動式のものとがある。竿体に遊動自在に嵌め込まれる遊動式の釣糸ガイドは、単に遊動ガイドと呼ばれることもある。
【０００３】
従来の遊動ガイドは、例えば、特開２０１１−０１０５７８号公報、特開２０１１−０１０５７７号公報、特開２０１０−１０４２６４号公報、特開２００４−１８７５７９号公報、特開２００４−０００２７３号公報、特開２００３−２８４４５５号公報、特開２００３−２７４８０９号公報、及び特開２００３−０４７３７１号公報に開示されている。
【０００４】
これらの公知文献に記載されているように、遊動ガイドは、一般に、竿体が挿通される筒状の取付部と、当該取付部から延伸するフレームと、当該フレームに形成された貫通孔に嵌め込まれる硬質のガイドリングと、を備える。使用前（例えば、釣竿の運搬時）には、遊動ガイドは、その取付部を介して竿体に緩く嵌め込まれている。釣竿の使用時には、この緩く嵌め込まれている遊動ガイドを竿体に沿って手元側に移動させる。竿体は、手元側が太くなるように形成されているので、遊動ガイドを竿体の所定の取付位置まで移動させると、遊動ガイドの取付部が竿体と固く嵌め合わされる。
【０００５】
遊動ガイドの取付部及びフレームは、金属や硬質樹脂から成型される。取付部を金属製とすると、樹脂製の場合に比べて取付部の剛性が高くなる。このため、取付部を金属製とすると、遊動ガイドを竿体の所定の取付位置へ移動させる途中で、取付部の内周面と竿体の外周面とが固着してしまい、遊動ガイドを所定の取付位置へ移動させることが難しくなる。
【０００６】
かかる問題に対処するため、実開昭５４−１２５３９３号公報、実開昭５４−９０４８９号公報、及び実開昭５７−１６４５７２号公報は、金属製の取付部に切り欠きを設けることを提案している。これらの文献に開示された釣糸ガイドにおいては、切り欠きによって取付部が拡径しやすくなっている。したがって、遊動ガイドを竿体に沿って根元側に移動させるときに、取付部の内周面が竿体の外周面に固着しづらくなり、その結果、遊動ガイドを竿体に沿って移動させやすくなる。
【先行技術文献】
【特許文献】
【０００７】
【特許文献１】特開２０１１−０１０５７８号公報
【特許文献２】特開２０１１−０１０５７７号公報
【特許文献３】特開２０１０−１０４２６４号公報
【特許文献４】特開２００４−１８７５７９号公報
【特許文献５】特開２００４−０００２７３号公報
【特許文献６】特開２００３−２８４４５５号公報
【特許文献７】特開２００３−２７４８０９号公報
【特許文献８】特開２００３−０４７３７１号公報
【特許文献９】実開昭５４−１２５３９３号公報
【特許文献１０】実開昭５４−９０４８９号公報
【特許文献１１】実開昭５７−１６４５７２号公報
【発明の概要】
【発明が解決しようとする課題】
【０００８】
しかしながら、実開昭５４−１２５３９３号公報及び実開昭５４−９０４８９号公報に記載されている遊動ガイドにおいては、切り欠きが遊動ガイドの取付部の下部に形成されているので、当該切り欠きに釣糸が絡みやすい。
【０００９】
また、実開昭５７−１６４５７２号公報に記載の遊動ガイドにおいては、取付部に挿入された竿体がフレームの支脚（支脚部５，６）の弾性に抗して切り欠きの対向する面の間隔を押し広げることによって取付部の竿孔を拡径するとされている。しかしながら、フレームの支脚は、実釣時に応力がかかって破壊されやすい部分であるため、高い強度を有するように設計される。したがって、フレームの支脚の弾性に抗して取付部の竿孔を拡径することは容易ではない。
【００１０】
そこで、本発明の目的の一つは、糸絡みが起こりにくく、かつ、竿孔をより容易に拡径し得る遊動ガイドを提供することである。
【課題を解決するための手段】
【００１１】
本発明は、竿体の長手方向に遊動可能に前記竿体に設けられる遊動式の釣糸ガイドに関する。当該釣糸ガイドは、繊維強化樹脂、強化繊維を含まない硬質樹脂、又は金属から成型されるガイド本体を備える。このガイド本体は、前記竿体を挿通可能な竿孔と、釣糸を案内するガイドリングを取り付けるためのガイド孔と、前記竿孔の上方かつ前記ガイド孔の下方に形成された貫通孔と、を有する。
【００１２】
本発明の一態様における釣糸ガイドは、前記ガイド本体から前記竿孔と前記貫通孔との間に突出する一対の支持アームを備える。この一対の支持アームは、その一方の先端が他方の先端と離間するように構成される。つまり、この一対の支持アームは、その根元側端はガイド本体に固定される一方でその先端は揺動可能となるように構成されている。本発明の一態様において、前記一対の支持アームの各々の下面は前記竿孔の一部を画定する。より具体的には、前記支持アームの各々の下面は、部分円弧形状に形成されており、前記竿孔の内周面の一部を成している。
【００１３】
かかる実施形態によれば、竿体を釣糸ガイドの竿孔に挿入するときに、当該一対の支持アームを押し拡げて、竿孔の内径を拡径することができる。当該一対の支持アームには、使用時に（実釣時に）大きな応力が作用しないため、当該釣糸ガイドの竿体に沿った移動を妨げない程度の低い強度に設計することが可能である。よって、当該実施形態によれば、高い強度が必要な脚部を押し拡げることによって竿孔を拡径する従来の釣糸ガイドよりも容易に竿孔を拡径し得る。
【００１４】
また、本発明の上述した態様によれば、一対の支持アームの各々の先端の間に設けられた間隙がガイド本体の内側を向いているため、この一対の支持アームには釣糸が絡みにくい。
【００１５】
さらに、釣糸ガイドが竿体の所定位置まで移動した後は、当該一対の支持アームからの支持により、竿体を竿孔内に確実に保持することができる。このような一対の支持アームを備えないと、竿体が竿孔から貫通孔に向かう方向に不意に移動してしまうおそれがある。本発明の一態様においては、一対の支持アームにより、竿体が貫通孔の方向に移動することを防止し、竿孔内に竿体を確実に保持できる。
【発明の効果】
【００１６】
本発明の様々な実施形態により、糸絡みが起こりにくく、かつ、竿孔をより容易に拡径し得る遊動ガイドを提供することができる。
【図面の簡単な説明】
【００１７】
【図１】本発明の一実施形態に係る釣竿の構成を示す側面図。
【図２】図１に示した釣糸ガイドの正面図。
【図３】図１に示した釣糸ガイドの右側面図。
【発明を実施するための形態】
【００１８】
以下、本発明の様々な実施形態を適宜図面を参照して説明する。共通する構成要素には複数の図面をまたがって同一の参照符号が付されている。各図面は、便宜上、必ずしも同一の縮尺により示されているとは限らない点に留意されたい。
【００１９】
図１は、本発明の一実施形態に係る釣糸ガイド１０を備える本発明の一実施形態に係る釣竿１の外観図である。図示の実施形態において、釣竿１は、手元竿３と、複数（図１の例では３本）の中竿５と、穂先竿７と、を有する振り出し式の釣竿である。釣竿１の不使用時においては、中竿５及び穂先竿７が中空の手元竿３に収納される。
【００２０】
手元竿３、中竿５、及び穂先竿７は、例えば、炭素繊維に合成樹脂を含浸したプリプレグシート等を用いて形成され得る。また、手元竿３、中竿５、及び穂先竿７は、それぞれ穂先方向に先細りとなるテーパー形状を有する。釣竿１はあくまで例示であり、本発明の釣糸ガイドは、遊動式の釣糸ガイドが用いられる任意の釣竿とともに用いられ得る。
【００２１】
中竿５及び穂先竿７の外周面には、リールＲから繰り出される釣糸を釣竿１の穂先まで案内する複数の釣糸ガイド１０が設けられている。当該釣糸ガイド１０は、遊動式の釣糸ガイドである。竿体５、７（中竿５及び穂先竿７）が手元竿３に収納されるときには、遊動式の釣糸ガイド１０は、竿体の穂先側端部に移動させられる。
【００２２】
図２は、一実施形態における釣糸ガイド１０の正面図であり、図３は、釣糸ガイド１０の側面図である。図２及び３においては、竿体５、７を省略している。釣糸ガイド１０は、図示するように、ガイド本体１１と、そのガイド本体１１の状部に形成された貫通孔（ガイド孔）１３に取り付けられる環状のガイドリング１２と、を備える。ガイド本体１１は、筒状の取付部１４と、この取付部１４の上部に接続されたフレーム１６と、を備える。取付部１４には竿体５，７の軸方向に沿って延びる竿孔１８が形成されている。この取付部１４の竿孔１８に竿体５，７が挿通される。
【００２３】
本発明の一実施形態において、ガイド本体１１は、多数の強化繊維にマトリクス樹脂を含浸させた繊維強化樹脂によって一体に成形されている。例えば、ガイド本体１１は、多数の強化繊維を含有するマトリクス樹脂を用いて一体に射出成型される。本発明の一実施形態において、ガイド本体１１を形成する繊維強化樹脂は、炭素繊維等の強化繊維に、ポリアミド樹脂、ポリエステル樹脂、ポリフェニレンエーテル、ポリアセタール、又はポリカーボネート等のマトリクス樹脂を含浸させたものである。この強化繊維の各々は、その繊維長さが比較的短いもの、例えば、平均繊維長さが０．５−１０ｍｍの範囲にある、いわゆる短繊維であってもよい。釣糸ガイド１０の取付部１４及びフレーム１６を短繊維を含有する繊維強化樹脂を用いて形成することにより、当該釣糸ガイド１０は、平均繊維長さが１０ｍｍよりも長い長繊維を含有する繊維強化樹脂で成型した場合よりも、曲げ剛性が小さくなる。この結果、本発明の様々な実施形態における釣糸ガイド１０は、釣竿１の曲がりに対する追従性を確保し易い。また、強化繊維の各々は、例えば、略円柱形状を有し、平均繊維径が３〜１５μｍの範囲にあり、平均繊維長さが０．５〜１０ｍｍの範囲にある。また、一実施形態において、繊維強化樹脂における強化繊維の含有量は、例えば、マトリクス樹脂に対して１０〜６０質量％の範囲にある。ここに開示した強化繊維の形状、寸法、及び含有量等は例示であって、本発明の実施形態における強化繊維のこれらの特性は、ここに例示したものに限られない。
【００２４】
成型された釣糸ガイド１０における強化繊維の向きは、例えば、強化繊維を混入したマトリクス樹脂を射出成形用の金型に注入するためのゲートの位置によって変えることができる。つまり、成型時にマトリクス樹脂が流動する向きを変更することによって、強化繊維が指向する向きを変更することができる。例えば、金型に注入するマトリクス樹脂の流れる方向を、竿体５、７の長手方向に対応する方向とすることによって、当該マトリクス樹脂に含まれる強化繊維は当該長手方向を指向する。
【００２５】
フレーム１６は概ね板状に形成されており、取付部１４の上部から概ね上方に向かって延伸する。図示の例において、フレーム１６は、その手元側の面が取付部１４からやや前方（穂先側）に向かって傾斜する方向に延びている一方、その穂先側の面が取付部１４から竿体の軸方向と垂直な方向に延伸している。フレーム１６には、ガイドリング１２を取り付けるための貫通孔が形成されており、この貫通孔を画定するフレーム１６の内周面に、ガイドリング１２が嵌め込まれて固定されている。
【００２６】
ガイドリング１２は、容易に摩耗せず、また、内側に通されて摺動する釣糸に対する摩擦力が小さくなるように、例えば、チタン、アルミニウム、ＳＵＳ、セラミックスなどの硬質材料によって形成される。
【００２７】
フレーム１６のガイド孔１３より下方には、方形の貫通孔１９が形成されている。この貫通孔１９は、フレーム１６を竿孔１８と同じ方向（すなわち、図２の紙面の表側から裏側に向かう方向）に貫通している。図示の実施形態において、当該貫通孔１９は、その上辺と下辺とが平行な台形形状に形成されている。貫通孔１９は、図示のように、その上辺が下辺よりも若干長くなるように形成されてもよい。また、台形形状の貫通孔１９の２つの脚は、正面視したフレーム１６の側面に沿って延伸している。一実施形態において、貫通孔１９は、その上辺がガイド孔１３の直径よりも若干短くなるように形成される。一実施形態において、貫通孔１９は、その下辺が竿孔１８の直径よりも若干短くなるように形成される。図示の実施形態においては、フレーム１６に貫通孔１９が形成されているため、フレーム１６は、貫通孔１９の左右の脚部１６ａと、貫通孔１９の上側に位置するリング保持部１６ｂとに区画される。脚部１６ａは、リング保持部１６ｂを支持している。ガイド孔１３は、リング保持部１６ｂに形成される。
【００２８】
取付部１４には、上述したように竿孔１８が形成されており、この竿孔１８に竿体５，７が通される。取付部１４の竿孔１８は、穂先方向に先細りとなるテーパー形状を有している。竿孔１８は、例えば、テーパーリーマー等の工具を用いて所定のテーパーを有するように加工される。このように竿孔１８がテーパー形状を有することにより、釣糸ガイド１０は、当該竿体５、７の長手方向の特定の位置であって、取付部１４の内周面が竿体５、７の外周面に当接する位置で固定される。すなわち、一実施形態における複数の釣糸ガイド１０の各々は、予め定められた長手方向の特定の位置における竿体５、７の外径及びテーパー形状に適合するように、取付部１４の内径（竿孔１８の直径）及び竿孔１８のテーパー形状が設定されている。取付部１４の竿孔１８を画定する内周面には、釣糸ガイド１０の軸方向（竿体５、７の長手方向）に沿って延伸するように形成された複数の凸条（不図示）を有していてもよい。かかる凸条により、竿体５、７の周方向への釣糸ガイド１０の回転を抑制することができる。
【００２９】
図２に示すように、円筒形状の取付部１４の上部には切り欠き２４が形成されている。この切り欠き２４によって、竿孔１８と貫通孔１９とが連絡されている。また、取付部１４は、その上部が平面状に形成されてもよい。図示の実施形態においては、取付部１４の上部には、左右方向及び紙面の表裏方向に延びる平面１４ａが形成されている。一実施形態において、取付部１４は、貫通孔１９の下辺が平面１４ａ上にあるように形成される。このように、円筒形状の取付部１４に切り欠き２４及び平面１４ａを形成することにより、取付部１４の上部には、竿孔１８と貫通孔１９との間に左側から延伸する左支持アーム２０と、これと対称に竿孔１８と貫通孔１９との間に右側から延伸する右支持アーム２２とが形成される。取付部１４には切り欠き２４が形成されているので、左支持アーム２０の先端は、右支持アーム２２の先端から離間する。切り欠き２４は、釣糸ガイド１０を正面視した場合におけるその幅が、貫通孔１９の下辺の長さよりも小さくなるように形成される。切り欠き２４の幅は、例えば、貫通孔１９の下辺の長さの５％〜５０％の範囲にあることが望ましい。
【００３０】
左支持アーム２０及び右支持アーム２２は、釣糸ガイド１０を竿体５，７の所定位置に取り付けるために竿体５，７が竿孔１８に挿入される際に、この竿体５，７から作用する応力によって、その基端の周りを上方に向かって変位することができるように構成される。
【００３１】
左支持アーム２０及び右支持アーム２２には実釣時に大きな応力が作用しないので、実釣時に大きな応力が作用する取付部１４の下部１４ｂやフレーム１６の脚部１６ａと比べて高い強度を必要としない。したがって、左支持アーム２０及び右支持アーム２２は、その強度が取付部１４の下部１４ｂの強度やフレーム１６の脚部１６ａの強度よりも小さくなるように形成され得る。例えば、左支持アーム２０及び右支持アーム２２は、その先端の上下方向の肉厚Ｔ１が取付部１４の下部１４ｂ又は下端の肉厚Ｔ２よりも薄くなるように形成され得る。ここで、下部１４ｂとは、例えば、竿孔１８の中心を通り左右方向に延びる仮想線よりも下の部分のうち任意の部分を意味する。また、本発明の一態様において、左支持アーム２０及び右支持アーム２２は、その先端の肉厚Ｔ１がフレーム１６の脚部１６ａの左右方向の肉厚Ｔ３よりも薄くなるように形成される。また、本発明の一態様において、左支持アーム２０及び右支持アーム２２は、その先端の肉厚Ｔ１がフレーム１６の脚部１６ａの前後方向の肉厚Ｔ３’よりも薄くなるように形成される。
【００３２】
図示のように、左支持アーム２０の下面２０ａ及び右支持アーム２２の下面２２ａは、部分円弧状に形成されており、竿孔１８の内周面の一部を成している。これにより、釣糸ガイド１０が竿体５，７の所定の取付位置に位置決めされた後は、左支持アーム２０及び右支持アーム２２によって、竿体５，７を保持することができる。
【００３３】
上述した釣糸ガイド１０を竿体５の所定位置に取り付ける際には、竿孔１８に竿体５を挿入し、この竿体５の表面に沿って釣糸ガイド１０を竿体５の手元側に移動させる。釣糸ガイド１０が竿体５の根元側に移動するにつれて、この竿体５から竿孔１８の内周面に作用する応力が大きくなり、この応力によって左支持アーム２０及び右支持アーム２２がその基端の周りを上方に向かって変位し竿孔１８が拡径される。これにより、竿体５を竿孔１８に挿入する際に、竿体５の外表面が竿孔１８の内周面と固着することを防止できる。
【００３４】
また、上述した実施形態においては、左支持アーム２０の先端と右支持アーム２２の先端との間の間隙がガイド本体の内側を向いているため、左支持アーム２０及び右支持アーム２２には釣糸が絡みにくい。また、取付部１４の下部１４ｂは、その表面のほぼ全域が曲面となるように構成されているので釣糸が絡まりにくい。
【００３５】
本発明の実施形態は、上述した実施形態に限定されるものではなく、その要旨を逸脱しない範囲内で様々な変更が可能である。例えば、釣竿１に設けられる釣糸ガイド１０の数、位置、形状等は、上述した実施形態に限定されるものではない。例えば、貫通孔１９の形状及び寸法は本明細書で具体的に説明したものに限られず、貫通孔１９は様々な形状及び寸法に形成することができる。
【符号の説明】
【００３６】
１  釣竿
３  手元竿
５  中竿
７  穂先竿
１０  釣糸ガイド
１１  ガイド本体
１２  ガイドリング
１３  ガイド孔
１４  取付部
１６  フレーム
１８  竿孔
１９  貫通孔
２０  左支持アーム
２２  右支持アーム
２４  切り欠き
【図１】
0006527450.tif 000002
【図２】
0006527450.tif 000003
【図３】
0006527450.tif 000004